(57)【要約】【課題】溶剤耐性を有すると共に、顔料粒子も吸収体内部に浸透させることができる廃インク液吸収体、及びその廃インク液吸収体を含むインクジェット式記録装置を提供する。【解決手段】廃インク液吸収体３２は、インクジェット式記録装置の廃インクタンク３１用であって、プラスチック粒子を焼結成形して製造した多孔性プラスチックからなること、及び油性溶剤を含浸して含む。インクジェット式記録装置は、前記の廃インク液吸収体を含む。【選択図】図４
2007276141.tif 000002
【特許請求の範囲】
【請求項１】
非水系インク組成物を吐出するインクジェット式記録装置の廃インクタンク用の廃イン
ク液吸収体であって、プラスチック粒子を焼結成形して製造した多孔性プラスチックと、
その多孔性プラスチックに含浸された油性溶剤とを含むことを特徴とする、前記廃インク
液吸収体。
【請求項２】
前記プラスチック粒子が、ポリオレフィン系樹脂、ビニル系樹脂、ポリエステル系樹脂
、ポリアミド系樹脂、ポリスチレン系樹脂、アクリル系樹脂、ポリスルホン酸系樹脂、ポ
リエーテルスルホン酸系樹脂、ポリエチレンスルファイド樹脂、フッ素系樹脂、又は、架
橋ポリオレフィン系樹脂の粒子、あるいはそれらの粒子混合物であることを特徴とする請
求項１に記載の廃インク液吸収体。
【請求項３】
前記油性溶剤が、融点が１０℃以下でかつ沸点が１５０℃以上の油性溶剤１種又は２種
以上の混合物である、請求項１又は２に記載の廃インク液吸収体。
【請求項４】
油性溶剤としてジエチレングリコール化合物を含む、請求項３に記載の廃インク液吸収
体。
【請求項５】
前記ジエチレングリコール化合物がジエチレングリコールジエチルエーテルである、請
求項４に記載の廃インク液吸収体。
【請求項６】
廃インク液吸収体を充填しない廃インク拡散室と廃インク液吸収体を充填する吸収体保
持室とを有する廃インクタンクの前記吸収体保持室に充填する、請求項１〜５のいずれか
一項に記載の廃インク液吸収体。
【請求項７】
前記非水系インク組成物が非水系顔料インク組成物である、請求項１〜６のいずれか一
項に記載の廃インク液吸収体。
【請求項８】
非水系インク組成物が溶剤として飽和炭化水素系溶剤を含む、請求項１〜７のいずれか
一項に記載の廃インク液吸収体。
【請求項９】
前記飽和炭化水素系溶剤が流動性パラフィンである、請求項８に記載の廃インク液吸収
体。
【請求項１０】
請求項１〜９のいずれか一項に記載の廃インク液吸収体を含むことを特徴とする、イン
クジェット式記録装置。
【発明の詳細な説明】
【技術分野】
【０００１】
本発明は、廃インク液吸収体及びそれを含むインクジェット式記録装置に関する。
【背景技術】
【０００２】
インクジェット式記録装置においては、記録ヘッドの吐出口の乾燥を防止する等のため
にフラッシングが行われる。これは、記録制御信号とは別に吐出口からインクを空吐出す
る操作である。また、記録ヘッドの吐出口が目詰まりした場合には、記録ヘッドの吐出口
をキャッピング手段で封止し、このキャッピング手段に接続された吸引手段により吐出口
からインクを強制的に排出させるいわゆるクリーニング操作が行われる。これらのフラッ
シング及びクリーニングなどにより、記録に使用されずに吐出口から吐出されたインクは
キャッピング手段に受け取られ、廃液として吸引手段によりインクジェット式記録装置に
設けられた廃液タンクに搬送される。また、縁無印刷においても、記録媒体の外側に吐出
されたインクは、プラテンに設けた捕捉部材を経て、廃液タンクに搬送される。
【０００３】
例えば、前記のフラッシングやクリーニングによる廃インク用の廃液タンクを備えるイ
ンクジェット式記録装置を図６に示す。図６は、インクジェット式記録装置１０の部分斜
視図であり、特に、印刷部４０及びインク廃液搬送部７０の構造を示すものである。印刷
部４０は、例えば、インクカートリッジを載置するキャリッジ４２、インクを吐出する記
録ヘッド４４、キャリッジ４２に設けられた軸穴４６、及び軸穴４６を挿通しキャリッジ
４２を給送方向に対して略垂直な方向にスライド可能に支持するガイド軸４８を有する。
記録ヘッド４４は、被記録物１１の給送方向に沿って配列された複数のインク吐出口を有
する。印刷部４０は、更に、タイミングベルト４０２、キャリッジモータ４０４、ブラッ
クインクカートリッジ４０６、及びカラーインクカートリッジ４０８を有する。
【０００４】
キャリッジモータ４０４がタイミングベルト４０２を駆動することにより、キャリッジ
４２は、ガイド軸４８に案内されて被記録物１１の給送方向に対し略直角に往復移動する
。キャリッジ４２の被記録物に対向する側には、ブラックインク用吐出口及びカラーイン
ク用吐出口を含む記録ヘッド４４が搭載される。キャリッジ４２の上部には、記録ヘッド
４４にインクを供給するブラックインクカートリッジ４０６及びカラーインクカートリッ
ジ４０８が着脱可能に装着される。
【０００５】
インクジェット式記録装置１０は、更に、記録ヘッド４４から排出されたインクを廃液
として搬送するインク廃液搬送部７０とワイピング手段８０とを備える。インク廃液搬送
部７０は、記録ヘッド４４の吐出口を封止するキャッピング手段７２を有する。更に、イ
ンク廃液搬送部７０は、吸引手段の一例として、記録ヘッド４４の吐出口からキャッピン
グ手段７２に接続チューブ７４と、チューブ７４の一部を弾性変形させ、チューブ７４内
部のインクを搬送するポンプ７６とを有する。インク廃液搬送部７０は、更に、ポンプ７
６が搬送したインクを蓄積する廃液タンク１００を有する。インク廃液搬送部７０のキャ
ッピング手段７２は、記録領域（被記録物１１の給送経路）外の非記録領域（ホームポジ
ション）に配置される。被記録物１１は、搬送ローラ（図示せず）や排出ローラ５２によ
って搬送される。ワイピング手段８０は、弾性を有しており、キャッピング手段７２の記
録領域側の端部近傍に配置される。
【０００６】
以上の構成を有するインクジェット式記録装置１０が記録を行わない場合には、キャリ
ッジ４２が、記録領域から非記録領域（ホームポジション）へ移動する。キャリッジ４２
に設けられた記録ヘッド４４がホームポジションの直上に移動してきた場合に、キャッピ
ング手段７２は、キャリッジ４２側に上昇し、記録ヘッド４４の吐出口を有する面を封止
することができる。
キャッピング手段７２は、記録ヘッド４４の吐出口を有する面を封止することにより、
記録ヘッド４４の吐出口の乾燥を抑制することができる。また、キャッピング手段７２は
、記録ヘッド４４にインク滴を空吐出させるフラッシング操作を行わせ、空吐出されたイ
ンクを受け取ることができる。このフラッシングは、例えば、記録とは関係のない駆動信
号を記録ヘッド４４に印加して行う。
キャッピング手段７２が記録ヘッド４４を封止している状態において、ポンプ７６が記
録ヘッド４４とキャッピング部材７２により形成される内部空間の空気を吸引することに
より、記録ヘッド４４の吐出口からインクが強制的に吸引排出される。記録ヘッド４４の
吐出口からインクが強制的に吸引排出されることにより記録ヘッド４４がクリーニングさ
れ、吐出口の目詰まりが解消される。
キャリッジ４２が非記録領域から記録領域に戻る場合には、まずキャッピング手段７２
から離脱する。更に、キャリッジ４２が非記録領域側に移動するのに伴い、ワイピング手
段８０が記録ヘッド４４の移動経路上に進出し、記録ヘッド４４のノズル形成面のインク
を払拭する。
上記クリーニング及びフラッシング等により、キャッピング手段７２に受け取られたイ
ンクは、インク廃液搬送部７０のポンプ７６により吸引され、キャッピング手段７２に一
端が接続されたチューブ７４を経由して、チューブ７４の他端に接続された廃液タンク１
００に移送される。
【０００７】
ここで、少なくともチューブ７４に接続されている部分の廃液タンクは密閉されている
ことが好ましい。それは、チューブの接続部分が開放されていると、その部分のインクが
乾燥固化して、廃インク液吸収体へのインクの吸収を阻害する原因となり、従って、期待
される量の廃インクが吸収されなくなる。一方、インクを乾燥させて体積を減らし、廃イ
ンクの保持量を増やすために、廃液タンクの一部を開放することもできる。インクタンク
の一部でも開放すると、インクジェット記録装置１０が記録中に振動することによりイン
クが飛散したり、インクジェット記録装置１０が傾けられることによりインクが流出して
しまうことがある。そこで、一般的には、廃液タンク１００には廃インク液を吸収する吸
収体が格納されている。
このような廃液タンクに配置される廃インク液吸収体としては、従来から、不織布や軟
質ポリウレタンフォームシートが提案されている（例えば、特許文献１）。
また、前記吸収体と類似の用途に使用される捕捉部材についても、従来から、軟質ポリ
ウレタンフォームシートが広く提案されている（例えば、特許文献２〜４、特願２００３
−３９７５４号、特願２００４−１４８５号）。この捕捉部材は、プリンタのプラテン位
置に配置されており、インクジェット記録方式の縁無印刷において、記録媒体端部からは
み出した非記録領域に吐出されるインク滴を直接着弾させて一時的に捕捉し、捕捉した廃
インク液を廃液タンクに案内する機能を果たすものである。
廃インク液吸収体の材料としては、前記のとおり、不織布も用いられている。不織布と
しては、例えば、優れた吸水性を有する再生セルロース系繊維（特には、レーヨン繊維）
の不織布や、優れた吸水性を有するポリアクリル系繊維の不織布を挙げることができる。
ポリアクリル系繊維を用いると、難燃性が向上し、裁断加工が容易になる点でも好ましい
。更に、再生セルロース系繊維とポリアクリル系繊維とを混合した不織布を用いることも
ある。
【０００８】
【特許文献１】特開２００２−２９０６６号公報
【特許文献２】特開２０００−１１８０５８号公報
【特許文献３】特開２００３−１９１５４５号公報
【特許文献４】特開２００４−１７４９７８号公報
【発明の開示】
【発明が解決しようとする課題】
【０００９】
しかしながら、従来技術で廃インク液吸収体や捕捉部材に広く採用されていたウレタン
フォームは、インクの溶剤によって劣化しやすいため、溶剤耐性を有する廃インク液吸収
体が求められていた。
また、廃インク液に含まれている成分の内、色素成分は、溶剤成分や水成分と比較して
吸収体に吸収されにくい。特にインクの色素成分が顔料である顔料インクにおいては、溶
媒成分だけが吸収体内部に浸透し、顔料粒子が吸収体の表面に堆積しやすい傾向にある。
また、溶媒成分が蒸発することにより、顔料粒子等の固形成分のみが残るような場合も堆
積は生じやすく、顔料粒子等の固形成分が吸収体の内部に浸透せずに表面に堆積してしま
うと、吸収体自体には充分な吸収能力が残存していても、フラッシングやクリーニングを
実施することができなくなる。また、廃インク拡散室に排出される廃インクが泡立つと、
吸収体に更に吸収されにくくなる。
従って、本発明の課題は、溶剤耐性を有すると共に、インク中の溶媒成分が乾燥し難く
、また、泡立ちを抑制する効果があり、顔料粒子も吸収体の内部に浸透させることができ
る廃インク液吸収体を提供することにある。
【課題を解決するための手段】
【００１０】
前記の課題は、本発明により、インクジェット式記録装置の廃インクタンク用の廃イン
ク液吸収体であって、プラスチック粒子を焼結成形して製造した多孔性プラスチックから
なること、及び含浸液として油性溶剤を含浸して含むことを特徴とする、前記廃インク液
吸収体によって解決することができる。
【００１１】
本発明の廃インク液吸収体の好ましい態様においては、前記プラスチック粒子が、ポリ
オレフィン系樹脂、ビニル系樹脂、ポリエステル系樹脂、ポリアミド系樹脂、ポリスチレ
ン系樹脂、アクリル系樹脂、ポリスルホン酸系樹脂、ポリエーテルスルホン酸系樹脂、ポ
リエチレンスルファイド樹脂、フッ素系樹脂、又は、架橋ポリオレフィン系樹脂の粒子、
あるいはそれらの粒子混合物である。
【００１２】
本発明の廃インク液吸収体の別の好ましい態様においては、前記油性溶剤が、融点が１
０℃以下でかつ沸点が１５０℃以上の油性溶剤１種又は２種以上の混合物である。
本発明の廃インク液吸収体の更に別の好ましい態様においては、廃インク液吸収体を充填
しない廃インク拡散室と廃インク液吸収体を充填する吸収体保持室とを有する廃インクタ
ンクの前記吸収体保持室に充填する。
【００１３】
また、本発明は、前記廃インク液吸収体を含むことを特徴とする、インクジェット式記
録装置にも関する。
本明細書において、プリンタに関して「上下」関係に関連する用語、例えば、「上方」
又は「下方」、「上面」又は「下面」、「上側」又は「下側」、更には「上部」あるいは
「直上」などは、プリンタによって印刷が行われている状態での重力方向に関する上下関
係を意味する。
【００１４】
本発明の廃インク液吸収体は、溶剤耐性を有すると共に、インクの種類によらず、泡立
ちを抑える能力に優れている。また、廃インク液の吸収保持性に優れており、例えば、顔
料インクに含まれている顔料粒子も吸収体の内部に浸透させることができる。従って、廃
インク液吸収体の吸収容量を充分に活用して、フラッシングやクリーニングを長期間にわ
たって実施可能な状態に保つことができる。
【発明を実施するための最良の形態】
【００１５】
本発明の廃インク液吸収体は、プラスチック粒子を焼結成形して製造した多孔性プラス
チックからなる。前記のプラスチック粒子としては、熱可塑性プラスチック粒子を用いる
ことができる。例えば、ポリオレフィン系樹脂（例えば、超高分子量ポリエチレン、高密
度ポリエチレンなどのポリエチレンやポリプロピレン）、ビニル系樹脂（例えば、ポリ塩
化ビニル樹脂）、ポリエステル系樹脂（例えば、ポリアリレート）、ポリアミド系樹脂、
ポリスチレン系樹脂、アクリル系樹脂、ポリスルホン樹脂、ポリエーテルスルホン樹脂、
ポリエチレンスルファイド樹脂、フッ素系樹脂、又は架橋ポリオレフィン系樹脂の粒子、
あるいはそれらの粒子混合物を用いることができる。
【００１６】
フッ素系樹脂としては、例えば、ポリテトラフルオロエチレン、ポリフルオロアクリル
アクリレート、ポリフッ化ビニリデン、ポリフッ化ビニル、又はヘキサフルオロプロピレ
ンなどを挙げることができる。
架橋ポリオレフィン系樹脂材料とは、低密度ポリエチレン、中密度ポリエチレン、若し
くは高密度ポリエチレンなどのポリエチレン又はポリプロピレンなどのポリオレフィン系
樹脂に、γ線やＸ線などの電離性放射線を照射して架橋させるか、あるいは、架橋剤とし
て塩化アルミニウム又はフッ化窒素などの無機化合物や、ｔ−ブチル−クミル−パーオキ
サイド、ジクミル−パーオキサイド、２，５−ジメチル−２，５−ジ（ｔ−ブチルパーオ
キシ）ヘキサン、又はアセチレンパーオキサイドなどの有機過酸化物を用いて化学的に架
橋させたものである。
【００１７】
前記プラスチック粒子の平均粒径は、特に限定されるものではないが、例えば、１，０
００μｍ以下であることが好ましい。また、メルトフローレイト（ＭＦＲ）も、特に限定
されるものではないが、例えば、０．０１以下の材料を使用すると、均一な孔径を有する
焼結多孔性プラスチックを得ることができる点で好適である。
本発明で用いる多孔質プラスチックは、前記熱可塑性プラスチック粒子を、静的成形法
や動的成形法によって焼結成形することによって製造することができる。
前記の静的成形法は、いわゆる型内焼結法であって、例えば、成形型の間隙部に形成さ
れるキャビテイ内に熱可塑性プラスチック粒子を充填した後、成形型と共に、加熱する方
法である。
【００１８】
前記の動的成形法としては、（１）先端部に成形型を有し、温度調整が可能なシリンダ
内に往復運動をするピストン（プランジャー）を内蔵したラム式押出機を用いて行うラム
押出法、（２）先端部に成形型を有し、温度調整が可能なシリンダ内にスクリュウを内蔵
した射出成形機を用いて行う射出成形法、（３）先端部に成形型を有し、温度調整が可能
なシリンダ内にスクリュウを内蔵した押出成形機を用いて行う押出成形法、（４）雌型と
その内径部に挿入される雄型よりなる成形型を用い、雌型の内部に形成されるキャビテイ
内に原料を充填した後、成形型を加熱する圧縮成形機を用いて行う圧縮成形法、（５）先
端部に上下方一対の移動式ベルトあるいは下方の移動式ベルトで構成される成形型を有す
る温度調整が可能なシリンダでこの成形型内に原料を押出しする連続式プレス機を用いて
行う連続式プレス法などである。
これら静的成形法や動的成形法などの方法の内から、本発明で用いる多孔質プラスチッ
クの最終的な形状や物性などの要求に応じて、適切な方法を適宜選択することができる。
【００１９】
こうして得られた焼結多孔性プラスチックの成形体（成形板）は、外観上は通常のプラ
スチックの成形体（成形板）のように見えるが、実際には、多方向に相互に連結した無数
の孔を有している。また、前記の焼結多孔性プラスチックの成形体は、市販されており、
種々の孔径を有する成形体（成形板）を容易に入手することができる〔例えば、ポアレッ
クス・ポーラスプラスチック（Porex technologies社）；フィルダス（三菱樹脂社）〕。
【００２０】
本発明の廃インク液吸収体は、帯電防止性を付与することができる。帯電防止処理とし
ては、例えば、前記熱可塑性プラスチック粒子に、カーボンブラックやカーボンファイバ
ー、金属粉、あるいは、表面に金属などが塗布してあるチタン酸カリウムなどの導電剤を
、例えば、１〜５重量％（好ましくは１〜２重量％）の量で添加し、その混合物を焼結成
形して実施することができる。
【００２１】
本発明の廃インク液吸収体は、含浸剤として油性溶剤を担持することができる。含浸剤
としては、代表的には、融点が１０℃以下でかつ沸点が１５０℃以上の油性溶剤１種又は
２種以上の混合物を挙げることができる。
前記含浸剤として用いる融点が１０℃以下でかつ沸点が１５０℃以上の油性溶剤として
は、蒸発気化し難いものが好ましく、具体的には、ノナン（融点−５３℃、沸点１５０℃
）、デカン（融点−３０℃、沸点１７４℃）、ドデカン（融点−１０℃、沸点２１６℃）
、デカリン（融点−４２℃、沸点１９５℃）、ペンチルベンゼン（融点−７５℃、沸点２
０５℃）、α−ピネン（融点−６４℃、沸点１５６℃）、灯油（融点０℃以下、沸点１８
０−３３０℃）、軽油（融点０℃以下、沸点１７０−３４０℃）、スピンドル油、マシン
油、アイソパーＧ（商品名、エクソン石油化学株式会社製）（融点−５７℃、沸点１６３
℃〜１７６℃）、アイソパーＨ（融点−６３℃、沸点１７９℃〜１８７℃）、アイソパー
Ｌ（融点−５７℃、沸点１８９℃〜２０９℃）（アイソパー；エクソン社の商品名）、メ
シチレン（融点−４４℃、沸点１６４℃）、テトラリン（融点−３５℃、沸点２０７℃）
、クメン（融点−９６℃、沸点１５２℃）等の炭化水素類、３，５，５−トリメチル−１
−ヘキサノール（融点−７０℃以下、沸点１９４℃）、１−デカノール（融点６℃、沸点
２３２℃）、１，３−プロパンジオール（融点−３２℃、沸点２１４℃）、１，３−ブタ
ンジオール（融点−５０℃以下、融点２０８℃）、１，５−ペンタンジオール（融点−１
６℃、沸点２４２℃）、ヘキシレングリコール（融点−５０℃以下、沸点１９７℃）、オ
クチレングリコール（融点−４０℃、沸点２４３℃）等のモノオール、ポリポール類、シ
クロヘキサノン（融点−４５℃、沸点１５６℃）、酢酸ベンジル（融点−５２℃、沸点２
１４℃）、２−（ベンジルオキシ）エタノール（融点−２５℃以下、沸点２５６℃）、ジ
プロピレングリコールモノメチルエーテル（融点−８０℃、沸点１９０℃）、チオジエタ
ノール（融点−１０℃、沸点２８２℃）、ジエチレングリコールジエチルエーテル（融点
−４４℃、沸点１８９℃）等が挙げられる。融点が１０℃以下であれば、インクジェット
式記録装置の動作温度内で液体状であり廃液吸収体にインクが素早く吸収される。一方、
融点が１０℃より高い場合は、装置の動作温度内で固体となる為、インク吸収体の隙間に
固化した吸収材が存在する為、インクが素早く吸収されることが妨げられることとなる。
また、沸点が１５０℃以上であれば、比較的蒸散しにくいために、長期間に渡ってその効
果を維持することができるため、好ましい。
【００２２】
なお、前記ジエチレングリコールジエチルエーテルをポリウレタンフォーム製の廃イン
ク液吸収材に含浸させると、ポリウレタンフォームがジエチレングリコールジエチルエー
テルにより膨潤や変質が生じ、インクの吸収性が著しく低下することがあるが、多孔性プ
ラスチックではそのような不具合が発生することがないので、本発明においてはジエチレ
ングリコールジエチルエーテルを使用することができる。更に、その他の好ましいジエチ
レングリコール化合物としては、例えば、ジエチレングリコール；ジエチレングリコール
エーテル（特に、アルキルエーテル）、例えば、ジエチレングリコールモノメチルエーテ
ル、ジエチレングリコールジメチルエーテル、ジエチレングリコールメチルエチルエーテ
ル、ジエチレングリコールモノエチルエーテル、ジエチレングリコールモノｎ−ブチルエ
ーテル、ジエチレングリコールジｎ−ブチルエーテル；又は、ジエチレングリコールエス
テル、例えば、ジエチレングリコールモノエチルエーテルアセテート、ジエチレングリコ
ールモノｎ−ブチルエーテルアセテート、もしくはジエチレングリコールモノアセテート
を挙げることができる。
これらの油性溶剤はそれぞれ一種類のみを多孔性プラスチックに含浸させてもよいし、
二種類以上を混合したものを多孔性プラスチックに含浸させてもよい。
【００２３】
本発明の廃インク液吸収体の対象となるインク組成物は特に限定されることなく、従来
からのインクジェット記録方式に使用されるインク組成物を使用できるが、特に非水系の
インク組成物（油性インク組成物）に対して、本発明の廃インク液吸収体を好適に使用す
ることができる。インクジェット記録用非水系インク組成物は、主に、顔料、分散剤、及
び有機溶剤から構成される。
【００２４】
顔料は、一般のインクジェット記録用非水系インク組成物において使用可能な各種無機
顔料及び有機顔料を利用することができるが、特に耐溶剤性にすぐれるものが好ましい。
このような顔料として有用なものとして、例えば以下の顔料を挙げることができる。
Ｃ．Ｉ．ピグメントイエロー１６、１７、８３、９３、９４、９５、９７、９８、１０８
、１０９、１１０、１１３、１１７、１２０、１２８、１２９、１３３、１３８、１３９
、１５１、１５３、１５４、１５５、１６８、１６９、１７３、１８０、１８５、１９３
、Ｃ．Ｉ．ピグメントオレンジ１６、１８、１９、３１、３４、３６、４２、４３、５１
、６１、６３、７１、Ｃ．Ｉ．ピグメントレッド４８：１、４８：２、４８：３、４８：
４、５２：１、５２：２、５７：１、６３：１、６３：２、６５、６６、６７、６８、８
３、８８、１１５、１２２、１２３、１３３、１４４、１４６、１４９、１５０、１５１
、１６６、１７０、１７１、１７５、１７６、１７７、１７８、１７９、１８５、１８７
、１８９、１９０、１９４、２０２、２０８、２０９、２１４、２１６、２２０、２２１
、２２４、２４２、２４３、２４３：１、２４６、２４７、Ｃ．Ｉ．ピグメントブルー１
５：１、１５：２、１５：３、１５：４、１６、６０、Ｃ．Ｉ．ピグメントバイオレット
５：１、１９、２３、３１、３２、Ｃ．Ｉ．ピグメントグリーン７、１０、１２、３６、
Ｃ．Ｉ．ピグメントブラウン２３、２５、３２、Ｃ．Ｉ．ピグメントブラック１、７Ｃ．
Ｉ．ピグメントホワイト１、５、６。
【００２５】
本発明の廃インク液吸収体の対象となる非水系インク組成物において、一般のインクジ
ェット記録用非水系インク組成物において使用可能な各種の有機溶剤を含有することがで
き、例えば、飽和炭化水素系溶剤を用いることができる。
飽和炭化水素系溶剤としては、イソパラフィン系混合物、例えば、アイソパーＥ、アイ
ソパーＧ、アイソパーＨ、アイソパーＬ、アイソパーＭ（以上、いずれもエクソン化学（
株））、シェルゾール（シェルオイル（株）製）、ソルトロール（フィリップス石油（株
）製）、ベガゾール（モービル石油（株）製）、ＩＰソルベント２８３５（出光石油化学
（株）製）など、シクロパラフィン系混合物、例えばエクソールＤ１３０（エクソン化学
（株）製）などのように、従来のインクジェット記録用非水系インク組成物（特に油性イ
ンク組成物）で主として利用されている市販の飽和炭化水素系溶剤をあげることができる
。また、主としてノルマルパラフィン、イソパラフィン及び単環シクロパラフィンの３成
分の混合物である流動パラフィン（日本薬局法において軽質流動パラフィンと呼ばれるも
のも含む）、例えば、モレスコホワイトＰ−４０、モレスコホワイトＰ−５５（松村石油
研究所（株）製）、流動パラフィンＮｏ．４０−Ｓ、流動パラフィンＮｏ．５５−Ｓ（中
央化成（株）製）などの市販品をあげることができる。
【００２６】
さらに、オクタン、ノナン、デカン、ドデカンなどのノルマルパラフィン系炭化水素、
イソオクタン、イソデカン、イソドデカンなどのイソパラフィン系炭化水素、シクロヘキ
サン、シクロオクタン、シクロデカン、デカリンなどのシクロパラフィン系炭化水素など
も使用することができる。
前記飽和炭化水素系溶剤としては、インクの吐出安定性の面から、２５℃における粘度
が２０ｍＰａ・ｓ以下のものが好適であり、低粘度の飽和炭化水素系溶剤と高粘度の飽和
炭化水素系溶剤とを混合して、粘度を調整して使用することもできる。更に、蒸発乾燥に
よる印字速度の向上とノズルの目詰まりとのバランスを考慮すると、飽和炭化水素系溶剤
の沸点としては１８０〜３６０℃／ｍｍＨｇの範囲にあるのが好適である。
【００２７】
前記非水系インク組成物は、更に、有機溶剤中に、表面張力等を低下させない範囲で、
乾燥性や融点、粘度の調整などを目的として、必要により、メタノール、エタノール、ま
たはプロパノール等の低級アルコール類、（ポリ）エチレングリコール、又は（ポリ）プ
ロピレングリコール等の（ポリ）アルキレングリコールのアルキルエーテル類で、飽和炭
化水素系溶剤と混合可能な有機溶剤を含有することもできる。
【００２８】
分散剤としても、一般的にインクジェット記録用非水系インク組成物において使用可能
な各種の分散剤を含んでいることができ、例えば、有機溶剤に溶解可能な各種顔料分散剤
及び高分子の顔料分散樹脂を用いることができる。
好適な顔料分散剤としては、例えば、アミン化合物と１，２−ヒドロキシステアリン酸
の自己縮合物との反応物を挙げることができ、具体的には、ポリアリルアミンに１，２−
ヒドロキシステアリン酸の自己縮合物を反応させたもの、例えば、市販品として、アビシ
ア（株）製のソルスパーズ１７０００、１８０００などがある。
その他の顔料分散剤としては、例えば、オクタドデシルアミンアセテートなどの長鎖ア
ルキルアミンアセテート化合物、アルキルトリメチルアンモニウムクロライドなどの四級
アンモニウム塩、ポリオキシエチレンモノステアレートなどのポリオキシエチレン誘導体
、ソルビタンモノオレート、ソルビタンモノラウリレート、ソルビタンモノステアレート
などの長鎖脂肪酸のソルビタンエステル化合物、また、市販品として、顔料誘導体である
ソルスパーズ５０００（アビシア（株）製）、ポリアミン系化合物であるＥＦＫＡ４７（
ＥＦＫＡ  ケミアカルズ（株）製）、又はポリエステル系高分子化合物であるヒノアクト
ＫＦ１−Ｍ、Ｔ−７０００（武生ファインケミカル（株）製）などを挙げることができる
。
【００２９】
一方、顔料分散樹脂としては、例えば、石油樹脂、ロジン変性マレイン酸樹脂、ロジン
変性フェノール樹脂、アルキルフェノール樹脂、アルキッド樹脂、アミノアウキッド樹脂
、アクリル樹脂、ポリアミド樹脂、又はクマロンインデン樹脂等を挙げることができる。
これらの分散剤の使用量は、顔料の使用量に対して、例えば、重量換算で０．１〜１０
倍程度である。
【００３０】
更に、被印字媒体への固着性などの改善の為に、通常のインクジェット記録用非水系イ
ンク組成物で利用されている各種バインダー樹脂を用いることができ、また、界面活性剤
、粘度調整剤、消泡剤、又は成膜助剤等の各種添加剤を添加することもできる。
非水系インク組成物の粘度は、使用時の環境温度において、例えば、１．０〜３０．０
ｍＰａ・ｓ、より好ましくは３．０〜１０．０ｍＰａ・ｓであり、粘度がこの範囲にある
と高速印字での吐出安定性等、各種特性が良好となる。また、非水系インク組成物の表面
張力は、例えば、２５℃において２０〜３５ｍＮ／ｍである。
【００３１】
本発明の廃インク液吸収体を収納して使用することが可能な廃インクタンクは、インク
ジェット式記録装置において実施されるフラッシング及びクリーニングの各操作において
発生する廃インクを収容する廃インクタンクであれば、特に限定されず、更に、縁無印刷
において記録媒体の外側に吐出され、プラテンに設けた捕捉材を経て搬送される廃インク
を収容する廃インクタンクも含まれ、これらの機能を同時に満たす廃インクタンクも含ま
れる。本発明で用いる廃インクタンクは、閉鎖されていても開放されていてもよく、少な
くとも廃インクがタンク内に流入する部分は閉鎖されている方が好ましい。
【００３２】
本発明で用いる廃インクタンクは、その内部の実質的に全体に、本発明による廃インク
液吸収体を充填することができる。また、本発明で用いる廃インクタンクは、例えば、廃
インク拡散室と吸収体保持室とを有することが好ましい。ここで、廃インク拡散室とは、
廃インク液吸収体を含まない内部空間であり、フラッシング及びクリーニングの各操作に
おいて発生する廃インクを廃インクタンクへ導く廃液チューブの排出口が挿入される内部
空間である。また、吸収体保持室とは、廃インク液吸収体を充填する内部空間である。
【００３３】
図１は、廃インク拡散室と吸収体保持室とを有する廃インクタンク１００から、吸収体
保持室に充填されている吸収体を取り除いた状態を示す斜視図であり、図２は、図１の廃
インクタンク１００の吸収体保持室に吸収体１４６を充填した状態を示す斜視図である。
廃液タンク１００は、上面全体が開放される略直方体の本体１０２を有する。廃液タン
ク１００は、廃インクを流す傾斜底面を有する廃インク拡散室１０４と、廃インク拡散室
１０４に沿って廃インク拡散室１０４の側面に設けられ、廃インク液吸収体１４６を保持
する吸収体保持室１０６とを備える。廃インク拡散室１０４は、上部が開放され、インク
を流す方向（図中の矢印Ａの方向）に傾斜する。吸収体保持室１０６は、底面が廃インク
拡散室１０４よりも下方に設けられ、上面が開放されるトレイ形状を有する。この廃液タ
ンク１００へ、キャッピング手段７２からチューブ７４を介して、廃インクが搬送される
。この廃インクが、廃インク拡散室１０４に流されると、廃インク拡散室１０４の傾斜底
面に沿って下方に、すなわち図１中の矢印Ａの方向へ流れる。なお、廃インク拡散室１０
４の底面は、水平であることもでき、あるいは吸収体保持室１０６の方向に向かって傾斜
していることもできる。
【００３４】
図３は、廃液タンクの他の例を示す斜視図である。図３に示す廃液タンク１８０は、上
面が開放される略直方体を有する。廃液タンク１８０は、廃インク拡散室１８４と、廃イ
ンク拡散室１８４に沿って廃インク拡散室１８４の側面に設けられる吸収体保持室とを備
え、吸収体保持室には吸収体１８６を充填して含む。廃インク拡散室１８４は、上部が開
放されている。廃液タンク１８０は、廃インク拡散室１８４と交差する方向（図３中の矢
印Ｃの方向）にインクを誘導するインク廃液副流路１８８、例えば、複数のインク廃液副
流路１８８ａ、１８８ｂ、１８８ｃを更に備える。これらインク廃液副流路１８８ａ、１
８８ｂ、１８８ｃは上部が開放され、廃インク拡散室１８４から遠くなるほど低くなる傾
斜底面を有するか、あるいは水平底面であることができる。
【００３５】
本発明で用いる廃インク拡散室は、前記廃インク拡散室が、廃インクタンクの底面と、
廃インク液吸収体の上面及び４側面に包囲されている態様であることもできる。こうした
態様の廃インク拡散室を含む廃液タンクを図４（斜視図）及び図５（断面図）に示す。
【００３６】
図４及び図５に示すように、廃液タンク１５には、回収容器３１と廃インク液吸収体３
２とが備えられている。その回収容器３１は、その上側を開口した箱型状の容器である。
その回収容器３１の内側には、略直方体形状の回収空間Ｓが形成されている。その回収容
器３１の右側面３１ａには、図４及び図５に示すように、挿通孔３１ｂが設けられている
。挿通孔３１ｂは、左右方向Ｙに沿って形成される円形孔であって回収容器３１の外側か
ら回収空間Ｓまでを貫通して形成されている。また、その挿通孔３１ｂは、右側面３１ａ
の略中央に形成され、排出チューブ２２の外径と略同じ大きさの孔径で形成されている。
その挿通孔３１ｂには、図４に示すように、排出チューブ２２が挿通されている。その
排出チューブ２２の先端には、廃インクを排出する円環状の排出口２２ａが形成されてい
る。そして、排出口２２ａを回収空間Ｓ内に配置することによって、排出チューブ２２は
、排出口２２ａを介して回収空間Ｓ内（廃液タンク内）への廃インクの排出を可能にして
いる。
【００３７】
その回収空間Ｓには、図４に示すように、廃インク液吸収体３２が収容されている。廃
インク液吸収体３２は、多数の細孔を備える多孔質部材で形成され、回収空間Ｓと略同じ
サイズの直方体状に形成されている。その廃インク液吸収体３２は、毛細管力などによっ
てその細孔の内部に排出インクを吸収することができる。しかも、廃インク液吸収体３２
は、回収容器３１の上側開口部を通じて、吸収するインクを所定の割合の揮発率で揮発さ
せることができる。つまり、この廃インク液吸収体３２は、吸収する廃インクをその揮発
率に相対する分だけ揮発し、そのインクの容量を縮小して細孔の内部に収容することがで
きる。
【００３８】
廃インク液吸収体３２は、収容することのできるインクの最大容量（飽和量）をその細
孔の総容積に相対させ、単位排出容量の例えば５０倍、すなわち５０回分のクリーニング
動作によって排出される廃インクの総容量にすることができる。しかも、廃インク液吸収
体３２は、その揮発率を５０％、すなわち吸収したインクの容量を半分にして収容するも
のとすることができる。この場合、廃インク液吸収体３２（廃液タンク）は、１００回の
クリーニング動作を行うことによって、その廃インク容量の５０％を揮発し、飽和量に相
対する単位排出容量の５０倍のインクでその細孔内部を満杯にするものとすることができ
る。換言すれば、廃液タンクは、その収容するインクが飽和量に到達するクリーニング回
数（飽和クリーニング回数）を１００回にするものとすることができる。
【００３９】
その廃インク液吸収体３２の右側面にあって挿通孔３１ｂと相対向する位置には、図４
及び図５に示すように、凹部３４が形成されている。凹部３４は、廃インク液吸収体３２
の右側面３１ａの下側中央を左側に向かって切り欠いて凹設されている。そして、この凹
部３４が形成されることによって、回収空間Ｓ内には、排出口２２ａを収容して廃インク
液吸収体３２（凹部３４）で覆われる空間、すなわち廃インク拡散室３５が区画形成され
る。従って、排出口２２から廃インクが排出されるのは閉鎖された空間であり、この部分
の廃インクは乾燥蒸発することなく、速やかに廃インク液吸収体３２に吸収される。すな
わち、チューブから排出された廃インクがすぐ蒸発乾燥して固化すると、次に排出された
廃インクが廃インク液吸収体３２へ吸収されるのを阻害することになる為である。また、
この廃インク拡散室３５が形成されることによって、回収空間Ｓ内には、図４及び図５に
示すように、廃インク拡散室３５を除く廃インク液吸収体３２で満たされた空間、すなわ
ち吸収体保持室が形成される。
【００４０】
廃インク拡散室３５は、図４及び図５に示すように、凹部３４と回収容器３１の内壁に
よって形成される直方体形状の空間である。その廃インク拡散室３５は、図５に示すよう
に、その上面３５ａと下面３５ｂとが、それぞれ凹部３４の上面と回収容器３１の容器底
面３１ｃによって形成されている。例えば、その廃インク拡散室３５の容積は、５回の連
続したクリーニング動作によって廃インクを漏洩させない大きさ、つまり単位排出量の５
倍に相対する廃インクを収容可能にする大きさで形成することができる。
その廃インク拡散室３５の上面３５ａと下面３５ｂとの間には、図５に示すように、排
出口２２ａが配設されている。その排出口２２ａは、図４及び図５に示すように、その中
心が廃インク拡散室３５の左右方向の中央にあって、しかも前後方向の中央に位置するよ
うに配置することが好ましい。
【００４１】
そして、排出口２２ａから廃インクが排出されると、その廃インクは、自重によって落
下し、排出口２２ａに対向する下面３５ｂに注がれる。すると、下面３５ｂに注がれる排
出インクは、その付着力などによって下面３５ｂに沿ってその中央から外方に向って等方
的に拡散する。その下面３５ｂを拡散する排出インクは、乾燥固化することなく、やがて
、その殆どが回収容器３１の容器底面３１ｃに沿って廃インク拡散室３５の外側（吸収体
保持室側）に拡散し、廃インク液吸収体３２の毛細管力などによって吸収体保持室内に吸
収されて収容される。
【００４２】
本発明による廃インク液吸収体は、インクジェット記録方法に用いる任意のインク組成
物の廃インク処理に用いることができ、特には、非水系顔料インク組成物の廃インク処理
に用いることができる。
【００４３】
本発明によるインクジェット式記録装置は、記録媒体以外の領域に吐出されるインク滴
を回収する廃液タンクを備えるインクジェット式記録装置である。記録媒体以外の領域に
吐出されるインク滴とは、例えば、フラッシングやクリーニングによる廃インク、あるい
は、縁無印刷による廃インクである。
【実施例】
【００４４】
以下、実施例によって本発明を具体的に説明するが、これらは本発明の範囲を限定する
ものではない。
＜実施例＞
【００４５】
〔Ａ〕廃インク液吸収体の調製
（１）多孔質体Ａ
平均粒径が１６０μｍでメルトフローレイト（ＭＦＲ）が０．０１以下の超高分子量ポ
リエチレンを、層の厚み比率が最終フイルタ全体の厚みの７０％になるように、断面積が
長方形の成形金型の間隙部に充填し、１６０〜２２０℃の温度で３０分間加熱し、孔径の
大きな多孔質体（厚さ＝２０ｍｍ）を得た。
上記多孔質体に、油性溶剤として、３，５，５−トリメチル−１−ヘキサノール（融点
−７０℃以下、沸点１９４℃）を、塗布量が２００ｇ／ｍ2となるように均一に含浸させ
、本実施例による廃インク液吸収体Ａとした。
（２）多孔質体Ｂ
平均粒径が５０μｍの超高分子量ポリエリチレンを使用する以外は前述の（１）の多孔
質体Ａと同様な方法で、（１）の多孔質体Ａと比較して孔径の小さな多孔質体を得た。
上記多孔質体に、油性溶剤として、ジエチレングリコールジエチルエーテル（融点＝−
４４℃；沸点＝１８９℃）を、塗布量が２００ｇ／ｍ2となるように均一に含浸させ、本
実施例による廃インク液吸収体Ｂを得た。
（３）比較用廃インク液吸収体Ｃ
比較用廃インク液吸収体として、厚さが２０ｍｍの軟質ポリウレタンフォームシートを
用い、ジエチレングリコールジエチルエーテル（融点＝−４４℃；沸点＝１８９℃）の塗
布量が２００ｇ／ｍ2となるように均一に含浸させ、比較例による廃インク吸収体Ｃとし
た。
（４）比較用廃インク液吸収体Ｄ
厚さが２０ｍｍの軟質ポリウレタンフォームシートを溶剤等含浸することなくそのまま
用い、比較例による廃インク吸収体Ｄとした。
【００４６】
〔Ｂ〕インクセットの調整
（１）ブラックインク組成物の製造
分散剤としてソルスパーズ１７０００（３部）を流動パラフィンＮｏ．４０−Ｓ（１２
部）に溶解し、この溶液に、顔料としてカーボンブラックＭＡ−７（三菱化学（株）製）
５部を攪拌混合した後、アイガーミルを用いて分散し、ブラック顔料分散液を得た。
次に上記ブラック顔料分液（１５部）も流動パラフィンＮｏ．４０−Ｓ（４０部）及び
アイソパーＭ（４５部）を加えて攪拌することにより、ブラックインク組成物を得た。な
お、アイソパーＭはイソパラフィンの混合物（エリクソン化学（株）製）である。
（２）イエローインク組成物の製造
分散剤としてヒノアクトＫＦ１−Ｍ（８部）をジエチレングリコールジエチルエーテル
５０部に溶解し、この溶液に、顔料としてＣ．Ｉ．ピグメントイエロー９７を２０部と、
ソルスパーズ５０００（アビシア（株）製）２部を攪拌混合した後、アイガーミルも用い
て分散し、イエロー分散液を得た。
（３）マゼンタインク組成物の製造
顔料としてＣ．Ｉ．ピグメントイエロー７４の代わりにＣ．Ｉ．ピグメントレッド１２
２を用いること以外は、上記イエローインク組成物と同様な方法でマゼンタインク組成物
を得た。
（４）シアンインク組成物の製造
顔料としてＣ．Ｉ．ピグメントイエロー７４の代わりにＣ．Ｉ．ピグメントブルー１５
：３を用いること以外は、上記イエローインク組成物と同様な方法でシアン組成物を得た
。
（５）インクセットの調製
前記ブラックインク組成物、イエローインク組成物、マゼンインク組成物、及びシアン
インク組成物を組み合わせて、インクセットとした。
【００４７】
〔Ｃ〕廃液クリーニング処理
前記実施例〔Ａ〕（１）〜（４）で調製した廃インク液吸収体をインクジェットプリン
タ〔ＰＸ−Ｖ６３０（商品名）：セイコーエプソン（株）製〕にそれぞれ搭載し、前項〔
Ｂ〕で調製したインクセットを充填したインクカートリッジを装着した。４０℃及び１０
％相対湿度の環境下で６時間ごとに廃液クリーニングを繰り返し、廃液が堆積して、廃液
チューブが詰まるまでの回数を測定した。以下に示す判断基準によって評価した。
Ａ：廃液チューブが詰まるまでのクリーニング回数が３１回以上
Ｂ：廃液チューブが詰まるまでのクリーニング回数が２１回以上３０回以下
Ｃ：廃液チューブが詰まるまでのクリーニング回数が１０回以上２０回以下
Ｄ：廃液チューブが詰まるまでのクリーニング回数が１０回以下
〔Ｄ〕廃液クリーニング処理の結果
本発明による廃インク液吸収体Ａの判定＝Ｂ
本発明による廃インク液吸収体Ｂの判定＝Ａ
比較用廃インク液吸収体Ｃの判定＝Ｄ
比較用廃インク液吸収体Ｄの判定＝Ｃ
【００４８】
上記結果より本発明による廃インク液吸収体Ｂは最も良好なクリーニングの繰り返し耐
性であった。一方、比較用廃インク液吸収体Ｃ、Ｄについては吸収体が廃インク及び含浸
剤により劣化して十分な吸収特性が得られず、特に廃インク液吸収体Ｃは含浸剤により評
価初期から、吸収特性が低下していた。
【産業上の利用可能性】
【００４９】
本発明による廃インク液吸収体は、充分な溶剤耐性と廃インク液吸収特性とを有するの
で、各種インク組成物（特に、水系顔料インク組成物）を用いて、フラッシング及びクリ
ーニングあるいは縁無印刷を行うインクジェット式記録装置に有効に利用することができ
る。
【図面の簡単な説明】
【００５０】
【図１】廃インク拡散室と吸収体保持室とを有する廃インクタンクから、吸収体保持室に充填されている吸収体を取り除いた状態を示す斜視図。
【図２】図１の廃インクタンクの吸収体保持室に吸収体を充填した状態を示す斜視図。
【図３】廃液タンクの他の例を示す斜視図。
【図４】廃インクタンクの底面と廃インク液吸収体の上面及び４側面に包囲されている廃インク拡散室を有する廃インクタンクの斜視図。
【図５】図４の廃インクタンクの断面図。
【図６】廃インク用の廃液タンクを備えるインクジェット式記録装置の部分斜視図。
【符号の説明】
【００５１】
１０・・・インクジェット式記録装置；１１・・・被記録物；
１５・・・廃液タンク；２２・・・排出チューブ；
２２ａ・・・円環状排出口；３１・・・回収容器；
３１ａ・・・回収容器の右側面；３１ｂ・・・挿通孔；
３２・・・廃インク液吸収体；３４・・・凹部；
３５・・・廃インク拡散室；３５ａ・・・廃インク拡散室の上面；
３５ｂ・・・廃インク拡散室の下面； 
４０・・・印刷部；４２・・・キャリッジ；４４・・・記録ヘッド；
４６・・・軸穴；４８・・・ガイド軸；５２・・・排出ローラ；
４０２・・・タイミングベルト；４０４・・・キャリッジモータ；
４０６・・・ブラックインクカートリッジ；４０８・・・カラーインクカートリッジ；
７０・・・廃液搬送部；７２・・・キャッピング手段；
７４・・・接続チューブ；７６・・・ポンプ；８０・・・ワイピング手段；
１００・・・廃液タンク；１０２・・・廃液タンク本体；
１０４・・・廃インク拡散室；１０６・・・吸収体保持室；
１４６・・・吸収体；１８０・・・廃液タンク；
１８４・・・廃インク拡散室；１８６，１８６ａ，ｂ，ｃ・・・吸収体；
１８８，１８８ａ，ｂ，ｃ・・・インク廃液副流路。
【図１】
2007276141.tif 000003
【図２】
2007276141.tif 000004
【図３】
2007276141.tif 000005
【図４】
2007276141.tif 000006
【図５】
2007276141.tif 000007
【図６】
2007276141.tif 000008